(57)【要約】【課題】遺伝子解析の研究に必要となる情報を研究機関がより容易に手に入れることができるようにする研究支援システム、研究支援装置、研究支援方法及び研究支援プログラムを提供する。【解決手段】研究支援システムは、研究に自らの情報を提供する複数の提供者が用いる複数の提供者端末と、研究を行う研究者が用いる研究者端末と、複数の提供者端末及び研究者端末と通信可能な研究支援装置と、を備える研究支援システムであって、研究支援装置は、提供者の塩基配列情報を含む提供者情報を研究に提供する表明を、提供者端末から取得する取得部と、表明が得られた複数の提供者情報の中から、研究者端末から指定された条件に合致する提供者情報を抽出する抽出部と、複数の提供者端末のうち、抽出された提供者情報を有する提供者が用いる提供者端末に対して、研究への参加を案内する案内部と、研究に参加した提供者に報酬を付与する付与部と、を有する。【選択図】図１
2020177566.tif 000002
【特許請求の範囲】
【請求項１】
研究に自らの情報を提供する複数の提供者が用いる複数の提供者端末と、前記研究を行う研究者が用いる研究者端末と、前記複数の提供者端末及び前記研究者端末と通信可能な研究支援装置と、を備える研究支援システムであって、
前記研究支援装置は、
前記提供者の塩基配列情報を含む提供者情報を前記研究に提供する表明を、前記提供者端末から取得する取得部と、
前記表明が得られた複数の提供者情報の中から、前記研究者端末から指定された条件に合致する提供者情報を抽出する抽出部と、
前記複数の提供者端末のうち、抽出された提供者情報を有する提供者が用いる提供者端末に対して、前記研究への参加を案内する案内部と、
前記研究に参加した提供者に報酬を付与する付与部と、を有する、
研究支援システム。
【請求項２】
前記研究支援装置は、
前記研究を行う機関に対して、手数料の請求を行う請求部をさらに有する、
請求項１に記載の研究支援システム。
【請求項３】
前記付与部は、前記報酬としてポイントを付与し、
前記ポイントは、電子商取引プラットフォームで使用可能な他のポイントに交換可能である、
請求項１又は２に記載の研究支援システム。
【請求項４】
前記研究者端末は、
前記研究支援装置により抽出された複数の提供者情報を、性別、年代及び居住地の少なくともいずれかで分類して表示する表示部を有する、
請求項１から３のいずれか一項に記載の研究支援システム。
【請求項５】
前記研究者端末は、
前記条件の入力を受け付ける入力部と、
前記条件の候補を、疾患のリスクに応じた態様で表示する表示部と、を有する、
請求項１から４のいずれか一項に記載の研究支援システム。
【請求項６】
前記提供者端末は、
前記研究に提供する提供者情報の種類及び用途の入力を受け付ける入力部を有する、
請求項１から５のいずれか一項に記載の研究支援システム。
【請求項７】
前記提供者端末は、
前記案内とともに、前記報酬の額を表示する表示部を有する、
請求項１から６のいずれか一項に記載の研究支援システム。
【請求項８】
前記提供者情報は、既往歴に関する情報、生活習慣に関する情報及び近親者の既往歴に関する情報の少なくともいずれかをさらに含む、
請求項１から７のいずれか一項に記載の研究支援システム。
【請求項９】
前記案内部は、前記提供者端末に対して、前記提供者情報に基づいて生成される、生活習慣改善のアドバイスを提供する、
請求項１から８のいずれか一項に記載の研究支援システム。
【請求項１０】
提供者の塩基配列情報を含む提供者情報を研究に提供する表明を、前記提供者が用いる提供者端末から取得する取得部と、
前記表明が得られた複数の提供者情報の中から、前記研究を行う研究者が用いる研究者端末から指定された条件に合致する提供者情報を抽出する抽出部と、
前記提供者端末のうち、抽出された提供者情報を有する提供者が用いる提供者端末に対して、前記研究への参加を案内する案内部と、
前記研究に参加した提供者に報酬を付与する付与部と、
を備える研究支援装置。
【請求項１１】
研究支援装置に、
提供者の塩基配列情報を含む提供者情報を研究に提供する表明を、前記提供者が用いる提供者端末から取得することと、
前記表明が得られた複数の提供者情報の中から、前記研究を行う研究者が用いる研究者端末から指定された条件に合致する提供者情報を抽出することと、
前記提供者端末のうち、抽出された提供者情報を有する提供者が用いる提供者端末に対して、前記研究への参加を案内することと、
前記研究に参加した提供者に報酬を付与することと、
を実行させる研究支援方法。
【請求項１２】
研究支援装置に、
提供者の塩基配列情報を含む提供者情報を研究に提供する表明を、前記提供者が用いる提供者端末から取得することと、
前記表明が得られた複数の提供者情報の中から、前記研究を行う研究者が用いる研究者端末から指定された条件に合致する提供者情報を抽出することと、
前記提供者端末のうち、抽出された提供者情報を有する提供者が用いる提供者端末に対して、前記研究への参加を案内することと、
前記研究に参加した提供者に報酬を付与することと、
を実行させる研究支援プログラム。
【発明の詳細な説明】
【技術分野】
【０００１】
本発明は、研究支援システム、研究支援装置、研究支援方法及び研究支援プログラムに関する。
【背景技術】
【０００２】
従来、塩基配列情報と疾患リスクの関係を解析した結果を用いて、個人の塩基配列情報に基づいて、当該個人がどのような疾患リスクを有するか提供するサービスが行われている。
【０００３】
例えば、下記特許文献１には、対象ユーザの遺伝子検査結果を参照することによって算出された各疾患の発症リスクの度合いを示す軸を第１軸とし、該各疾患に関する統計学的な値を示す軸を第２軸として、発症リスクの度合いと該疾患に関する統計学的な値とを示す位置に該疾患に対応するオブジェクトが配置された画面のデータを生成するデータ生成装置が記載されている。
【先行技術文献】
【特許文献】
【０００４】
【特許文献１】特開２０１６−２４６３２号公報
【発明の概要】
【発明が解決しようとする課題】
【０００５】
塩基配列情報と疾患リスクの関係の解析等の遺伝子解析は、多様な属性の人から塩基配列情報を集めて、統計的な傾向を見出すことで行われる。
【０００６】
しかしながら、塩基配列情報は、有志の提供者から収集されることが多く、研究機関は、求める種類の情報を手に入れることが困難な場合がある。
【０００７】
そこで、本発明は、遺伝子解析の研究に必要となる情報を研究機関がより容易に手に入れることができるようにする研究支援システム、研究支援装置、研究支援方法及び研究支援プログラムを提供する。
【課題を解決するための手段】
【０００８】
本発明の一態様に係る研究支援システムは、研究に自らの情報を提供する複数の提供者が用いる複数の提供者端末と、研究を行う研究者が用いる研究者端末と、複数の提供者端末及び研究者端末と通信可能な研究支援装置と、を備える研究支援システムであって、研究支援装置は、提供者の塩基配列情報を含む提供者情報を研究に提供する表明を、提供者端末から取得する取得部と、表明が得られた複数の提供者情報の中から、研究者端末から指定された条件に合致する提供者情報を抽出する抽出部と、複数の提供者端末のうち、抽出された提供者情報を有する提供者が用いる提供者端末に対して、研究への参加を案内する案内部と、研究に参加した提供者に報酬を付与する付与部と、を有する。
【０００９】
この態様によれば、研究に参加した提供者に報酬を付与することで、研究に参加するインセンティブを与えることができ、より多くの提供者情報を収集して、遺伝子解析の研究に必要となる情報を研究機関がより容易に手に入れることができるようになる。
【００１０】
上記態様において、研究支援装置は、研究を行う機関に対して、手数料の請求を行う請求部をさらに有してもよい。
【００１１】
この態様によれば、研究機関から手数料を徴収することで、提供者に付与する報酬を賄うことができる。また、研究機関は、個別に提供者を探す場合よりも低廉な料金で提供者情報を入手することができる。
【００１２】
上記態様において、付与部は、報酬としてポイントを付与し、ポイントは、電子商取引プラットフォームで使用可能な他のポイントに交換可能であってもよい。
【００１３】
この態様によれば、研究支援システムで付与するポイントを、提供者の利用する電子商取引プラットフォームで使用可能な他のポイントに交換可能とすることで、研究に参加するインセンティブをさらに高めることができる。
【００１４】
上記態様において、研究者端末は、研究支援装置により抽出された複数の提供者情報を、性別、年代及び居住地の少なくともいずれかで分類して表示する表示部を有してもよい。
【００１５】
この態様によれば、抽出された複数の提供者情報が、所望の属性の提供者から提供されたものであるかを容易に確認することができる。
【００１６】
上記態様において、研究者端末は、条件の入力を受け付ける入力部と、条件の候補を、疾患のリスクに応じた態様で表示する表示部と、を有してもよい。
【００１７】
この態様によれば、提供者情報を抽出するための条件の候補を、疾患のリスクに応じた態様で表示することで、疾患に関係する条件のスクリーニングを容易に行うことができるようになる。
【００１８】
上記態様において、提供者端末は、研究に提供する提供者情報の種類及び用途の入力を受け付ける入力部を有してもよい。
【００１９】
この態様によれば、研究に提供する提供者情報の種類及び用途を提供者がコントロールすることができ、提供者情報の提供に対する抵抗感を低減することができる。
【００２０】
上記態様において、提供者端末は、案内とともに、報酬の額を表示する表示部を有してもよい。
【００２１】
この態様によれば、報酬の額を考慮して研究に参加するか否かを判断することができるようになり、予測可能性を高めて、提供者が研究に参加する抵抗感を低減することができる。
【００２２】
上記態様において、提供者情報は、既往歴に関する情報、生活習慣に関する情報及び近親者の既往歴に関する情報の少なくともいずれかをさらに含んでもよい。
【００２３】
この態様によれば、塩基配列情報だけでなく、既往歴、生活習慣及び近親者の既往歴の少なくともいずれかを用いて提供者情報を抽出する条件を設定することができ、提供者情報をより細かく限定した研究を行うことができるようになる。
【００２４】
上記態様において、案内部は、提供者端末に対して、提供者情報に基づいて生成される、生活習慣改善のアドバイスを提供してもよい。
【００２５】
この態様によれば、提供者に対して、報酬とは異なる形で研究に参加するインセンティブを与えることができ、遺伝子解析の研究に必要となる情報を研究機関がより容易に手に入れることができるようになる。
【００２６】
本発明の他の態様に係る研究支援装置は、提供者の塩基配列情報を含む提供者情報を研究に提供する表明を、提供者が用いる提供者端末から取得する取得部と、表明が得られた複数の提供者情報の中から、研究を行う研究者が用いる研究者端末から指定された条件に合致する提供者情報を抽出する抽出部と、提供者端末のうち、抽出された提供者情報を有する提供者が用いる提供者端末に対して、研究への参加を案内する案内部と、研究に参加した提供者に報酬を付与する付与部と、を備える。
【００２７】
この態様によれば、研究に参加した提供者に報酬を付与することで、研究に参加するインセンティブを与えることができ、より多くの提供者情報を収集して、遺伝子解析の研究に必要となる情報を研究機関がより容易に手に入れることができるようになる。
【００２８】
本発明の他の態様に係る研究支援方法は、研究支援装置に、提供者の塩基配列情報を含む提供者情報を研究に提供する表明を、提供者が用いる提供者端末から取得することと、表明が得られた複数の提供者情報の中から、研究を行う研究者が用いる研究者端末から指定された条件に合致する提供者情報を抽出することと、提供者端末のうち、抽出された提供者情報を有する提供者が用いる提供者端末に対して、研究への参加を案内することと、研究に参加した提供者に報酬を付与することと、を実行させる。
【００２９】
この態様によれば、研究に参加した提供者に報酬を付与することで、研究に参加するインセンティブを与えることができ、より多くの提供者情報を収集して、遺伝子解析の研究に必要となる情報を研究機関がより容易に手に入れることができるようになる。
【００３０】
本発明の他の態様に係る研究支援プログラムは、研究支援装置に、提供者の塩基配列情報を含む提供者情報を研究に提供する表明を、提供者が用いる提供者端末から取得することと、表明が得られた複数の提供者情報の中から、研究を行う研究者が用いる研究者端末から指定された条件に合致する提供者情報を抽出することと、提供者端末のうち、抽出された提供者情報を有する提供者が用いる提供者端末に対して、研究への参加を案内することと、研究に参加した提供者に報酬を付与することと、を実行させる。
【００３１】
この態様によれば、研究に参加した提供者に報酬を付与することで、研究に参加するインセンティブを与えることができ、より多くの提供者情報を収集して、遺伝子解析の研究に必要となる情報を研究機関がより容易に手に入れることができるようになる。
【発明の効果】
【００３２】
本発明によれば、遺伝子解析の研究に必要となる情報を研究機関がより容易に手に入れることができるようにする研究支援システム、研究支援装置、研究支援方法及び研究支援プログラムを提供することができる。
【図面の簡単な説明】
【００３３】
【図１】本発明の実施形態に係る研究支援システムのネットワーク構成を示す図である。
【図２】本実施形態に係る研究支援装置の機能ブロックを示す図である。
【図３】本実施形態に係る研究支援装置の物理的構成を示す図である。
【図４】本実施形態に係る研究者端末の表示部に表示される第１画面例を示す図である。
【図５】本実施形態に係る研究者端末の表示部に表示される第２画面例を示す図である。
【図６】本実施形態に係る研究者端末の表示部に表示される第３画面例を示す図である。
【図７】本実施形態に係る提供者端末の表示部に表示される第１画面例を示す図である。
【図８】本実施形態に係る提供者端末の表示部に表示される第２画面例を示す図である。
【図９】本実施形態に係る提供者端末の表示部に表示される第３画面例を示す図である。
【図１０】本実施形態に係る提供者端末の表示部に表示される第４画面例を示す図である。
【図１１】本実施形態に係る提供者端末の表示部に表示される第５画面例を示す図である。
【図１２】本実施形態に係る研究支援システムにより実行される研究支援処理のフローチャートである。
【発明を実施するための形態】
【００３４】
添付図面を参照して、本発明の実施形態について説明する。なお、各図において、同一の符号を付したものは、同一又は同様の構成を有する。
【００３５】
図１は、本発明の実施形態に係る研究支援システム１００のネットワーク構成を示す図である。本実施形態に係る研究支援システム１００は、研究支援装置１０、第１提供者端末２０、第２提供者端末３０及び研究者端末４０を含む。
【００３６】
第１提供者端末２０及び第２提供者端末３０は、研究に自らの情報を提供する複数の提供者が用いる複数の提供者端末である。第１提供者端末２０及び第２提供者端末３０は、汎用のコンピュータで構成されてよく、例えばスマートフォンで構成されてよい。本明細書では、複数の提供者端末を総称して提供者端末２０と記載する。
【００３７】
研究に自らの情報を提供する提供者は、提供者端末２０を用いて、自らの遺伝子検査の結果を研究に用いる同意を研究支援装置１０に送ったり、自らの生活習慣に関するアンケートに答えたり、自らの既往歴や身体情報を研究支援装置１０に送ったりする。
【００３８】
研究者端末４０は、研究を行う研究者が用いる端末であり、汎用のコンピュータで構成されてよい。研究者は、研究者端末４０を用いて、研究において必要とされる種類の塩基配列情報を持つ提供者に対して、研究への参加を案内する。なお、研究支援システム１００は、複数の研究機関に所属する複数の研究者が用いる複数の研究者端末を含んでよい。
【００３９】
研究支援装置１０は、第１提供者端末２０、第２提供者端末３０及び研究者端末４０と通信ネットワークＮを介して通信可能であり、汎用のコンピュータで構成されてよい。研究支援装置１０は、提供者端末２０から、提供者の遺伝子検査の結果等を研究に提供する表明を取得し、研究機関が求める種類の情報を持つ提供者に対して、研究への参加を案内する。そして、研究に参加した提供者に対して、研究支援システム１００で用いることのできるポイント等の報酬を付与する。
【００４０】
図２は、本実施形態に係る研究支援装置１０の機能ブロックを示す図である。研究支援装置１０は、取得部１１、提供者情報データベース１２、抽出部１３、案内部１４、付与部１５及び請求部１６を備える。また、第１提供者端末２０は、入力部２１及び表示部２２を備える。第２提供者端末３０は、入力部３１及び表示部３２を備える。研究者端末４０は、入力部４１及び表示部４２を備える。
【００４１】
取得部１１は、提供者の塩基配列情報を含む提供者情報を研究に提供する表明を、提供者端末２０から取得する。提供者情報を研究に提供する表明は、提供者端末２０に同意書を表示し、その内容に同意する情報を研究支援装置１０に送信することで行われてよい。
【００４２】
提供者情報データベース１２は、複数の提供者から収集した提供者情報を記憶する。ここで、提供者情報は、既往歴に関する情報、生活習慣に関する情報及び近親者の既往歴に関する情報の少なくともいずれかをさらに含んでよい。塩基配列情報は、提供者に関する遺伝子検査によって得られてよい。また、既往歴に関する情報、生活習慣に関する情報及び近親者の既往歴に関する情報は、提供者端末２０を用いて、提供者にアンケートを実施することで得られてよい。このように、塩基配列情報だけでなく、既往歴、生活習慣及び近親者の既往歴の少なくともいずれかを用いて提供者情報を抽出する条件を設定することができ、提供者情報をより細かく限定した研究を行うことができるようになる。
【００４３】
抽出部１３は、提供者情報を研究に提供する表明が得られた複数の提供者情報の中から、研究者端末４０から指定された条件に合致する提供者情報を抽出する。抽出した提供者情報が妥当であるか確認するため、研究者端末４０の表示部４２は、研究支援装置１０により抽出された複数の提供者情報を、性別、年代及び居住地の少なくともいずれかで分類して表示してよい。これにより、抽出された複数の提供者情報が、所望の属性の提供者から提供されたものであるかを容易に確認することができる。
【００４４】
研究者端末４０の入力部４１は、提供者情報を抽出する条件の入力を受け付け、表示部４２は、条件の候補を、疾患のリスクに応じた態様で表示してよい。表示部４２は、例えば、提供者情報を絞り込むための条件として、特定の疾患のリスクと高い相関があるアンケート項目を、他の項目より目立つ態様で表示してよい。例えば、複数のアンケート項目のうち、特定の疾患のリスクとの相関が最も大きい項目を、他の項目と異なる色で表示したり、下線を引いて表示したり、太字にして表示したり、大きなフォントで表示したりしてよい。ここで、アンケート項目と特定の疾患との相関は、任意の統計的手法により算出されてよい。このように、提供者情報を抽出するための条件の候補を、疾患のリスクに応じた態様で表示することで、疾患に関係する条件のスクリーニングを容易に行うことができるようになる。
【００４５】
案内部１４は、複数の提供者端末のうち、抽出された提供者情報を有する提供者が用いる提供者端末２０に対して、研究への参加を案内する。研究への参加の案内は、提供者端末２０に研究の内容や参加条件を表示することで行われてよい。
【００４６】
研究への参加を承諾した提供者は、研究機関において所定の期間にわたって研究に協力する。その後、研究が完了した場合、研究者端末４０から研究支援装置１０に対して、特定の提供者が研究に参加したことを証明する情報が送られてよい。
【００４７】
付与部１５は、研究に参加した提供者に報酬を付与する。研究に参加した提供者であるか否かは、研究者端末４０から受信した証明情報に基づいて判定されてよい。報酬は、研究支援システム１００で用いることのできるポイントとして付与されてよいが、現金や仮想通貨等で付与されてもよい。
【００４８】
本実施形態に係る研究支援システム１００によれば、研究に参加した提供者に報酬を付与することで、研究に参加するインセンティブを与えることができ、より多くの提供者情報を収集して、遺伝子解析の研究に必要となる情報を研究機関がより容易に手に入れることができるようになる。
【００４９】
付与部１５は、報酬としてポイントを付与し、ポイントは、電子商取引プラットフォームで使用可能な他のポイントに交換可能であってもよい。ここで、電子商取引プラットフォームは、研究支援システム１００と異なるプラットフォームである。研究支援システム１００で付与するポイントを、提供者の利用する電子商取引プラットフォームで使用可能な他のポイントに交換可能とすることで、研究に参加するインセンティブをさらに高めることができる。
【００５０】
請求部１６は、研究を行う機関に対して、手数料の請求を行う。請求部１６は、例えば、研究者端末４０を通じて研究機関に手数料の請求を行ってよい。手数料は、提供者情報の収集及び研究機関と提供者のマッチングのために徴収されてよいが、その名目は任意である。このように、研究機関から手数料を徴収することで、提供者に付与する報酬を賄うことができる。また、研究機関は、個別に提供者を探す場合よりも低廉な料金で提供者情報を入手することができる。
【００５１】
提供者端末２０の入力部２１は、研究に提供する提供者情報の種類及び用途の入力を受け付けてよい。これにより、研究に提供する提供者情報の種類及び用途を提供者がコントロールすることができ、提供者情報の提供に対する抵抗感を低減することができる。
【００５２】
また、提供者端末２０の表示部２２は、研究への参加の案内とともに、報酬の額を表示してよい。これにより、報酬の額を考慮して研究に参加するか否かを判断することができるようになり、予測可能性を高めて、提供者が研究に参加する抵抗感を低減することができる。
【００５３】
案内部１４は、提供者端末２０に対して、提供者情報に基づいて生成される、生活習慣改善のアドバイスを提供してもよい。アドバイスは、塩基配列情報や生活習慣に関するアンケートに基づいて予測される疾患のリスクを低減させるように生成されたものであってよい。このようなアドバイスを提供することで、提供者に対して、報酬とは異なる形で研究に参加するインセンティブを与えることができ、遺伝子解析の研究に必要となる情報を研究機関がより容易に手に入れることができるようになる。
【００５４】
図３は、本実施形態に係る研究支援装置１０の物理的構成を示す図である。研究支援装置１０は、演算部に相当するＣＰＵ（Central Processing Unit）１０ａと、記憶部に相当するＲＡＭ（Random Access Memory）１０ｂと、記憶部に相当するＲＯＭ（Read only Memory）１０ｃと、通信部１０ｄと、入力部１０ｅと、表示部１０ｆと、を有する。これらの各構成は、バスを介して相互にデータ送受信可能に接続される。なお、本例では研究支援装置１０が一台のコンピュータで構成される場合について説明するが、研究支援装置１０は、複数のコンピュータが組み合わされて実現されてもよい。また、図３で示す構成は一例であり、研究支援装置１０はこれら以外の構成を有してもよいし、これらの構成のうち一部を有さなくてもよい。
【００５５】
ＣＰＵ１０ａは、ＲＡＭ１０ｂ又はＲＯＭ１０ｃに記憶されたプログラムの実行に関する制御やデータの演算、加工を行う制御部である。ＣＰＵ１０ａは、研究者端末から指定された条件に合致する提供者情報を抽出し、その提供者に研究への参加を案内して、研究に参加した提供者に報酬を付与するプログラム（研究支援プログラム）を実行する演算部である。ＣＰＵ１０ａは、入力部１０ｅや通信部１０ｄから種々のデータを受け取り、データの演算結果を表示部１０ｆに表示したり、ＲＡＭ１０ｂやＲＯＭ１０ｃに格納したりする。
【００５６】
ＲＡＭ１０ｂは、記憶部のうちデータの書き換えが可能なものであり、例えば半導体記憶素子で構成されてよい。ＲＡＭ１０ｂは、ＣＰＵ１０ａが実行する研究支援プログラム、提供者情報といったデータを記憶してよい。なお、これらは例示であって、ＲＡＭ１０ｂには、これら以外のデータが記憶されていてもよいし、これらの一部が記憶されていなくてもよい。
【００５７】
ＲＯＭ１０ｃは、記憶部のうちデータの読み出しが可能なものであり、例えば半導体記憶素子で構成されてよい。ＲＯＭ１０ｃは、例えば研究支援プログラムや、書き換えが行われないデータを記憶してよい。
【００５８】
通信部１０ｄは、研究支援装置１０を他の機器に接続するインターフェースである。通信部１０ｄは、インターネット等の通信ネットワークＮに接続されてよい。
【００５９】
入力部１０ｅは、ユーザからデータの入力を受け付けるものであり、例えば、キーボード及びタッチパネルを含んでよい。
【００６０】
表示部１０ｆは、ＣＰＵ１０ａによる演算結果を視覚的に表示するものであり、例えば、ＬＣＤ（Liquid Crystal Display）により構成されてよい。表示部１０ｆは、例えば、蓄積された提供者情報や、研究機関が実施する研究に関する情報を表示してよい。
【００６１】
研究支援プログラムは、ＲＡＭ１０ｂやＲＯＭ１０ｃ等のコンピュータによって読み取り可能な記憶媒体に記憶されて提供されてもよいし、通信部１０ｄにより接続される通信ネットワークを介して提供されてもよい。研究支援装置１０では、ＣＰＵ１０ａが研究支援プログラムを実行することにより、図２を用いて説明した様々な動作が実現される。なお、これらの物理的な構成は例示であって、必ずしも独立した構成でなくてもよい。例えば、研究支援装置１０は、ＣＰＵ１０ａとＲＡＭ１０ｂやＲＯＭ１０ｃが一体化したＬＳＩ（Large-Scale Integration）を備えていてもよい。
【００６２】
図４は、本実施形態に係る研究者端末４０の表示部４２に表示される第１画面例を示す図である。第１画面例は、提供者情報を抽出するための条件を設定するための画面例である。
【００６３】
第１画面例は、提供者の性別を選択するラジオボタンＧ、提供者の居住する都道府県を選択する選択欄Ｐ、提供者の年代を選択する選択欄Ａ、提供者情報を絞り込むための検索キーを入力する入力欄Ｓ、疾患のリストＬ１、調査のリストＬ２及び決定ボタンＮを含む。
【００６４】
ラジオボタンＧは、「Ｆｅｍａｌｅ」、「Ｍａｌｅ」及び「Ａｎｙ」の選択肢を含み、提供者情報の性別を絞り込むために用いる。選択欄Ｐは、プルダウンメニューの中に全国の都道府県が選択肢として含まれ、提供者が居住する都道府県を絞り込むために用いる。提供者が居住する都道府県を絞り込むことで、研究機関に滞在する必要のある研究に適した提供者を抽出することができる。なお、都道府県ではなく、任意の地域区分で絞り込みができるようにしてもよい。
【００６５】
選択欄Ａは、年齢の下限を設定する「Ｍｉｎ」の欄と、年齢の上限を設定する「Ｍａｘ」の欄を含む。入力欄Ｓは、自由文による検索キーの入力を受け付け、例えば、ＳＮＰ（Single Nucleotide Polymorphism）に入力を受け付けてよい。
【００６６】
疾患のリストＬ１は、疾患名のリストであり、疾患名を検索キーとすることで、当該疾患の既往歴を有する提供者を抽出することができる。また、提供者本人だけでなく、提供者の親族が既往歴を有する場合についても抽出することができる。
【００６７】
調査のリストＬ２は、既存の研究結果をまとめたリストであり、疾患に関係する生活習慣や身体特徴に関する情報のリストを含む。
【００６８】
提供者情報を抽出する条件を設定した後、「Ｎｅｘｔ」と記載された決定ボタンＮを押下すると、図６に示す第３画面例に遷移する。
【００６９】
図５は、本実施形態に係る研究者端末４０の表示部４２に表示される第２画面例を示す図である。第２画面例は、生活習慣に関するアンケート結果によって提供者情報を絞り込むための画面例である。
【００７０】
第２画面例は、アンケート項目Ｑを含む。本例では、絞り込みに用いる条件の候補を、２型糖尿病のリスクに応じた態様で表示している。具体的には、「朝食を摂る頻度についてお答えください」というアンケート項目Ｑについて、「ほとんど食べない」、「週に１〜２回」、「週に３〜５回」及び「それ以上」という回答項目があり、これらのうち「それ以上」という回答項目が他の項目より目立つ態様で表示されている。本例では、「ほとんど食べない」、「週に１〜２回」、「週に３〜５回」及び「それ以上」という４つの回答項目と２型糖尿病のリスクの相関を統計的手法により算出し、これらのうち相関が最大である「それ以上」という回答項目を、他の項目と区別できるように表示している。具体的には、「それ以上」という回答項目に下線を付し太字で表示して、他の項目より目立つ態様で表示している。これにより、疾患に関係する条件のスクリーニングを容易に行うことができるようになる。
【００７１】
図６は、本実施形態に係る研究者端末４０の表示部４２に表示される第３画面例を示す図である。第３画面例は、研究支援装置１０により抽出された提供者情報を分類して表示する画面例である。
【００７２】
第３画面例は、研究支援装置１０により抽出された提供者情報を分類したテーブルＴを含む。テーブルＴは、「Ｇｅｎｄｅｒ」、「Ｐｒｅｆｅｃｔｕｒｅ」及び「Ｃｏｕｎｔ」の項目を含み、抽出された提供者情報を、性別及び居住地で分類して抽出数を示すものである。本例の場合、性別が「Ｍａｌｅ」であり、「Ａ」に居住する提供者の提供者情報は、「１０」だけ抽出されている。また、抽出された提供者情報の総数（Ｔｏｔａｌ）は「３１２０」である。
【００７３】
研究者は、抽出する提供者情報を修正する場合、「ＢＡＣＫ」と記載されたボタンＢを押下して、第１画面例に戻り、提供者情報を抽出する条件を再設定する。一方、抽出された提供者情報を有する提供者に研究の案内を送る場合、「ＳＵＢＭＩＴ」と記載されたボタンＳＵＢを押下して、研究への参加の案内を提供者端末２０に送信する。
【００７４】
図７は、本実施形態に係る提供者端末２０の表示部２２に表示される第１画面例を示す図である。第１画面例は、研究に提供する提供者情報の種類及び用途を入力する画面例である。
【００７５】
第１画面例は、「提供してもよい業態・目的を選択して下さい。」と記載された案内メッセージ、「広告」と記載された第１項目Ｄ１、「創薬」と記載された第２項目Ｄ２、「保険」と記載された第３項目Ｄ３、「食品」と記載された第４項目Ｄ４、「化粧品」と記載された第５項目Ｄ５及び「研究開発」と記載された第６項目Ｄ６を含む。
【００７６】
提供者は、各項目をタップしてオン・オフを選択することで、自らの提供者情報をいずれの業態・目的に提供することを許可するか選択する。本例の場合、広告及び保険の業態について、提供者情報を提供しないことが選択され、それ以外の業態・目的について、提供者情報を提供することが選択されている。
【００７７】
図８は、本実施形態に係る提供者端末２０の表示部２２に表示される第２画面例を示す図である。第２画面例は、研究に提供する提供者情報の種類及び用途を入力する画面例である。
【００７８】
第２画面例は、「提供してもよい情報を選択して下さい。」と記載された案内メッセージ、「遺伝子情報」と記載された第７項目Ｄ７、「基本情報」と記載された第８項目Ｄ８、「既往歴」と記載された第９項目Ｄ９、「家族の既往歴」と記載された第１０項目Ｄ１０、「アンケート情報（性格）」と記載された第１１項目Ｄ１１及び「アンケート情報（生活習慣）」と記載された第１２項目Ｄ１２を含む。
【００７９】
提供者は、各項目をタップしてオン・オフを選択することで、自らの提供者情報のうちどのような種類の情報を提供するか選択する。本例の場合、遺伝子情報は提供が必須の項目であり、家族の既往歴を提供しないことが選択され、それ以外の種類の情報について、提供を許可することが選択されている。
【００８０】
図９は、本実施形態に係る提供者端末２０の表示部２２に表示される第３画面例を示す図である。第３画面例は、参加募集中の研究を検索する画面例である。
【００８１】
第３画面例は、参加募集中の研究を検索する検索キーの入力を受け付ける入力欄Ｓ、参加募集中の研究をカテゴリー毎にまとめたカテゴリー一覧Ｃ、参加募集中の研究を個別に表示するモニター欄Ｍを含む。
【００８２】
本例では、カテゴリー一覧Ｃに「創薬」、「研究開発」、「食品」及び「化粧品」のカテゴリーが表示されており、いずれかのカテゴリーをタップすると、当該カテゴリーにおいて募集中の研究の内容が表示される。なお、第１画面例で除外したカテゴリーは、カテゴリー一覧Ｃに表示されない。
【００８３】
本例では、モニター欄Ｍに「疾患Ａ（研究機関Ｘ）」及び「疾患Ｂ（研究機関Ｙ）」が表示されている。いずれかの項目をタップすると、当該項目の研究内容の詳細が表示される。提供者は、特定の疾患に関する研究に参加したり、特定の研究機関が行う研究に参加したりすることができる。
【００８４】
図１０は、本実施形態に係る提供者端末２０の表示部２２に表示される第４画面例を示す図である。第４画面例は、研究の内容と報酬の額を表示する画面例である。本例では、第３画面例のモニター欄Ｍの「疾患Ａ（研究機関Ｘ）」を選択した場合に表示される画面例を示している。
【００８５】
第４画面例は、「募集機関」と記載された第１３項目Ｄ１３、「募集人数」と記載された第１４項目Ｄ１４、「報酬（目安）」と記載された第１５項目Ｄ１５及び「募集目的」と記載された第１６項目Ｄ１６を含む。
【００８６】
本例の場合、募集機関は「研究機関Ｘ」であり、募集人数は「健常者１００名」であり、報酬の目安は「３，０００ポイント」である。また、募集目的は、「疾患Ａの治療薬の治験フェーズ１」に参加する人を募集することである。また、第４画面例には、注意事項が表示されている。
【００８７】
提供者は、これらの項目に記載された内容を確認し、研究に参加する場合、「応募する」と記載されたボタンＳＵＢを押下する。ボタンＳＵＢを押下した後、研究機関から提供者に対して個別に研究の案内が送付されてよい。
【００８８】
図１１は、本実施形態に係る提供者端末２０の表示部２２に表示される第５画面例を示す図である。第５画面例は、研究支援システム１００で得たポイントを、他の電子商取引プラットフォームのポイントに交換する画面例である。
【００８９】
第５画面例は、「換金・振込申請」と記載された第１７項目Ｄ１７、「Ａプラットフォームポイントに交換」と記載された第１８項目Ｄ１８、「Ｂプラットフォームポイントに交換」と記載された第１９項目Ｄ１９及び「寄付」と記載された第２０項目Ｄ２０を含む。
【００９０】
提供者は、所望の項目を選択し、現在保有する「５００」ポイントを、他の電子商取引プラットフォームのポイントに変換したり、換金したり、寄付したりする。なお、電子商取引プラットフォーム毎に、交換レートは異なっていてよい。
【００９１】
図１２は、本実施形態に係る研究支援システム１００により実行される研究支援処理のフローチャートである。はじめに、研究支援装置１０は、提供者端末２０から、研究に提供する提供者情報の種類及び用途の入力を受け付け、提供者情報を研究に提供する表明を取得する（Ｓ１０）。
【００９２】
また、研究支援装置１０は、研究者端末４０から条件の入力を受け付け、条件の候補を、疾患のリスクに応じた態様で研究者端末４０に表示させる（Ｓ１１）。そして、研究支援装置１０は、提供の表明が得られた複数の提供者情報の中から、指定された条件に合致する提供者情報を抽出し（Ｓ１２）、抽出された複数の提供者情報を、性別、年代及び居住地の少なくともいずれかで分類して研究者端末４０に表示する（Ｓ１３）。
【００９３】
その後、研究支援装置１０は、抽出された提供者情報を有する提供者が用いる提供者端末２０に対して、研究への参加を案内する（Ｓ１４）。
【００９４】
提供者が研究に参加した場合（Ｓ１５：ＹＥＳ）、研究支援装置１０は、研究に参加した提供者に報酬を付与する（Ｓ１６）。そして、研究支援装置１０は、提供者端末２０の操作に応じて、報酬として付与されたポイントを、電子商取引プラットフォームで使用可能な他のポイントに交換する（Ｓ１７）。また、研究支援装置１０は、研究を行う機関に対して、手数料を請求する（Ｓ１８）。なお、手数料の請求は、提供者が研究に参加した実績に応じて行ってもよいし、提供者が研究に参加したか否かに関わらず行ってもよい。以上により、研究支援処理が終了する。
【００９５】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００９６】
１０…研究支援装置、１０ａ…ＣＰＵ、１０ｂ…ＲＡＭ、１０ｃ…ＲＯＭ、１０ｄ…通信部、１０ｅ…入力部、１０ｆ…表示部、１１…取得部、１２…提供者情報データベース、１３…抽出部、１４…案内部、１５…付与部、１６…請求部、２０…第１提供者端末、２１…入力部、２２…表示部、３０…第２提供者端末、３１…入力部、３２…表示部、４０…研究者端末、４１…入力部、４２…表示部、１００…研究支援システム
【図１】
2020177566.tif 000003
【図２】
2020177566.tif 000004
【図３】
2020177566.tif 000005
【図４】
2020177566.tif 000006
【図５】
2020177566.tif 000007
【図６】
2020177566.tif 000008
【図７】
2020177566.tif 000009
【図８】
2020177566.tif 000010
【図９】
2020177566.tif 000011
【図１０】
2020177566.tif 000012
【図１１】
2020177566.tif 000013
【図１２】
2020177566.tif 000014